(57)【要約】  舞台照明固定具（１）には、照明ビームを放射する光源（１１）と、該光源（１１）が配置される本体（２）と、該本体（２）に対して関節接合され、前記本体（２）から出射する照明ビームを選択的に偏向するように構成されたヘッド（３）と、が設けられている。
2015525456.tif 000002
【特許請求の範囲】
【請求項１】
照明ビームを放射する光源（１１）と、
内部に前記光源（１１）が配置される本体（２）と、
前記本体（２）に対して関節接合され、前記本体（２）から出射する前記照明ビームを選択的に偏向するように構成されたヘッド（３）と、
を備える舞台照明固定具（１）。
【請求項２】
前記ヘッド（３）が、第１の光学軸線（Ｄ）を有する対物レンズ（５０）を備える請求項１に記載の舞台照明固定具。
【請求項３】
前記ヘッド（３）が、前記本体（２）から出射する前記照明ビームを偏向し、前記照明ビームを前記対物レンズ（５０）の前記第１の光学軸線（Ｄ）と整列するように構成されたビーム偏向装置（５１）を備える請求項２に記載の舞台照明固定具。
【請求項４】
前記ビーム偏向装置（５１）が、前記ヘッド（３）から出射する前記照明ビームの変形を回避するために、前記ヘッド（３）の動作に基づいて前記ビーム偏向装置（５１）を動かすように構成された機構（５４）に結合される請求項３に記載の舞台照明固定具。
【請求項５】
前記ヘッド（３）が、互いに直交する第１の軸線（Ｘ）および第２の軸線（Ｙ）を中心として回転可能な請求項１から４のいずれか一項に記載の舞台照明固定具。
【請求項６】
前記ヘッド（３）には、駆動用ハンドルバー（７０）が設けられ、該駆動用ハンドルバー（７０）は、これに付与される動作に基づいて前記ヘッド（３）を動かすように構成される請求項１から５のいずれか一項に記載の舞台照明固定具。
【請求項７】
前記本体（２）に対する前記ヘッド（３）の位置を調整するように構成された制御装置（１５）を備える請求項１から６のいずれか一項に記載の舞台照明固定具。
【請求項８】
前記制御装置（１５）が、遠隔の駆動ステーションから制御信号を受信するように構成される請求項７に記載の舞台照明固定具。
【請求項９】
前記照明ビームによって照明されるシーンを撮影するためのビデオカメラを備える請求項７または８に記載の舞台照明固定具。
【請求項１０】
前記ビデオカメラが赤外線ビデオカメラである請求項９に記載の舞台照明固定具。
【請求項１１】
前記ビデオカメラによって取得した画像を表示するスクリーンを備える請求項９または１０に記載の舞台照明固定具。
【請求項１２】
前記制御装置（１５）が、前記ビデオカメラと通信し、前記ビデオカメラによって撮影された前記シーンに関して前記照明ビームの投影の位置を決定するように構成される請求項９から１１のいずれか一項に記載の舞台照明固定具。
【請求項１３】
前記制御装置（１５）が、前記スクリーンと通信し、前記照明ビームの投影の位置に対応するインジケータを表示するように構成される請求項１２に記載の舞台照明固定具。
【請求項１４】
前記本体（２）が、長手方向軸線（Ａ）に沿って延在し、前記光源（１１）が、前記長手方向軸線（Ａ）に対して側方に配置される請求項１から１３のいずれか一項に記載の舞台照明固定具。
【請求項１５】
前記本体（２）の前記長手方向軸線（Ａ）が、使用中、略垂直に配置される請求項１４に記載の舞台照明固定具。
【請求項１６】
前記本体（２）には、少なくとも２つの車輪（７ａ）が設けられる請求項１から１５のいずれか一項に記載の舞台照明固定具。
【請求項１７】
前記本体（２）の内部に収容される供給ユニット（１４）を備える請求項１から１６のいずれか一項に記載の舞台照明固定具。
【請求項１８】
前記本体（２）が、１つまたは複数の照明ビーム処理要素（１６、１８、１９、２１、２２）を備える請求項１から１７のいずれか一項に記載の舞台照明固定具。
【請求項１９】
前記照明ビーム処理要素（１６、１８、１９、２１、２２）が、絞り（１９）と、前記光源（１１）及び前記絞り（１９）の間に配置され前記照明ビームの寸法を変更するように構成された第１の光学組立体（１８）と、を備える請求項１８に記載の舞台照明固定具。
【請求項２０】
前記舞台照明固定具（１）がフォロースポットである請求項１から１９のいずれか一項に記載の舞台照明固定具。
【発明の詳細な説明】
【技術分野】
【０００１】
本発明は、舞台照明固定具、具体的には舞台フォロースポットに関する。
【背景技術】
【０００２】
フォロースポットは、パフォーマンスの分野でよく使用される舞台照明固定具であり、一般には「スポットライト」と呼ばれる。フォロースポットは一般に、集中され輪郭がはっきりとした照明ビームを投影し、舞台上の役者、歌手、ダンサーの動きを「追う」ように操作者によって絶えず操作される。フォロースポットは一般に、大規模なミュージカルイベントまたはスタジアムの場合、舞台と反対側の劇場の一部に、大劇場での舞台の側部キャットウォーク上、または舞台上の金属の構造体上に配置される。
【０００３】
公知のフォロースポットは通常、本体を備えており、これは長手方向軸線に沿って延在し、光源と、投影される照明ビームを処理する複数の処理要素とを収容している。
【０００４】
本体は、架台によって回転可能に支持され、操作者によって手動で移動される。
【０００５】
しかしながら、公知のフォロースポットは、移動させるべき本体の体積及び重量が大きいために操作が難しいことを特徴としている。公知の技術のフォロースポットの本体は一般に、長さが１．５メートルを超え、その重量は５０から１２０ｋｇである。よって、劇場では公知のタイプのフォロースポットに適した操作空間はかなり大きく、本体を移動させるのが難しい場合が多い。
【０００６】
さらに、このタイプの舞台照明固定具には、外側の供給ユニットが設けられ、これは通常架台の近くに配置され、ケーブルを利用して本体に接続されている。このようなユニットの重量はおよそ３０ｋｇである。
【０００７】
上記に挙げた重量及び体積のために、公知の技術の各々の舞台照明固定具の組立および解体作業には、少なくとも２人の操作者がいることが必要になる。
【発明の概要】
【発明が解決しようとする課題】
【０００８】
本発明の１つの目的は、それほど複雑ではなく、軽量であり、操作が可能であり、その一方で実装するのが簡単でコスト効果が高い舞台照明固定具を提供することである。
【課題を解決するための手段】
【０００９】
このような目的によると、本発明は、照明ビームを放射する光源と、光源が配置される本体と、本体に対して関節接合され、本体から出射する照明ビームを選択的に偏向するように構成されたヘッドとを備える舞台照明固定具に関する。
【００１０】
よって、照明ビームを誘導するには、舞台照明固定具の最も複雑な部分である本体を移動させずにヘッドを動かすだけで十分である。これにより舞台照明固定具が極めて操作性が高いものになる。本発明による舞台照明固定具に必要な操作空間は、当然のことながら、従来の舞台照明固定具の操作空間に対して縮小される。本発明による舞台照明固定具に関する操作空間は、ヘッドのみを動かすのに必要な空間であり、本体全体を移動させるのに必要なものではない。
【００１１】
さらに、本発明に係る舞台照明固定具のヘッドは、それが光源を収容していないという点を考慮すると、公知の舞台照明固定具の本体より軽量である。これにより手動および自動の両方の操作でヘッドを動かすことが容易になる。
【００１２】
本発明の好ましい一実施形態によると、ヘッドは、第１の光学軸線を有する対物レンズと、本体から出射する照明ビームを偏向し、それを対物レンズの第１の光学軸線と整列するように構成されたビーム偏向装置とを備える。これにより本体から出射する照明ビームがビーム偏向装置によって偏向され、最終的な対物レンズによって最適化される。関節接合されたヘッドの動作が、複数の方向のビームの投影を決定する。
【００１３】
本発明の好ましい一実施形態によると、ビーム偏向装置は、ヘッドから出射する照明ビームの変形を回避するために、ヘッドの動作に基づいてビーム偏向装置を動かすように構成された機構に結合される。これにより、この機構がヘッドの動作を補正し、ヘッドから来るビームの変形を回避する。
【００１４】
本発明の好ましい一実施形態によると、ヘッドは、互いに直交する第１の軸線と第２の軸線を中心として回転可能である。したがって、ヘッドから出射するビームをほぼ全ての方向に誘導することができる。
【００１５】
本発明の好ましい一実施形態によると、ヘッドには、駆動用ハンドルバーが設けられ、これは駆動用ハンドルバーに付与される動作に基づいてヘッドを動かすように構成されている。これにより、操作者は、単に関節接合されたヘッドを動かすことによって照明ビームを誘導することができる。
【００１６】
本発明の好ましい一実施形態によると、舞台照明固定具は、照明ビームによって照明されるシーンを撮影するためのビデオカメラと、ビデオカメラによって撮影されたシーンを表示可能なスクリーンとを備え、好ましくはビデオカメラは赤外線ビデオカメラである。これにより、操作者は、そのシーンが完全に真っ暗な場合でもシーンの中で照明される対象物／役者を見ることができ、照明ビームを役者に直接投影することができる。
【００１７】
本発明に係る舞台照明固定具の好ましい一実施形態によると、本体は、長手方向軸線に沿って延在し、光源は長手方向軸線に対して側方に配置される。これにより、本体の軸方向の体積が最小化される。
【００１８】
本発明の好ましい一実施形態によると、本体の長手方向軸線は、使用中、略垂直に配置される。これにより、本発明に係る舞台照明固定具は、実質的に「伸縮自在な（ｔｅｌｅｓｃｏｐｉｃ）」構成を採り、概ね垂直方向に延在するため、操作空間を縮小し舞台照明固定具の操作性を最適にする。本体の軸方向の体積は、光源が側方に配置されることにより縮小され、故に関節接合されたヘッドは、立っている操作者及び腰掛けに座っている操作者の両方によって容易に操作されるような高さに配置される。
【００１９】
本発明に係る舞台照明固定具の好ましい一実施形態によると、本体には、本体を移動させるための少なくとも２つの車輪が設けられている。これにより、本体は、搬送用台車や持上手段の助けを借りずに移動させることができる。
【００２０】
本発明に係る舞台照明固定具の好ましい一実施形態によると、舞台照明固定具は、本体内に収容される供給ユニットを備える。そのため、供給ユニットは、舞台照明固定具の本体の中に組み込まれており、電源ケーブルのみを除いて本体の外側にはケーブルは全く存在しない。これにより、舞台照明固定具の操作区域内に、操作者の邪魔をする可能性がある多くのケーブルの存在が回避され、特に操作者が供給ユニットおよびケーブルの搬送および保管作業ならびに各々の新たな組立体においてケーブルをつなぐ作業を行うことがなくなる。
【００２１】
本発明のさらなる特徴および利点は、添付の図面の図を参照してその非制限的な実施形態の以下の記載からより明らかになるであろう。
【図面の簡単な説明】
【００２２】
【図１】本発明に係る舞台照明固定具の、簡素化するために断面部および一部分が取り除かれた図式の側面図である。
【図２】本発明に係る舞台照明固定具の、簡素化するために断面部および一部が取り除かれた図式の前面図である。
【発明を実施するための形態】
【００２３】
図１の参照番号１は、舞台照明固定具を示している。
【００２４】
本明細書に記載され示される非制限的な実施形態における舞台照明固定具１は、フォロースポットであり、一般的には「スポットライト」と呼ばれる。
【００２５】
舞台照明固定具１は、本体２と、ヘッド３とを備え、これは本体２に対して関節接合されている。
【００２６】
本体２は、実質的に長手方向軸線（Ａ）に沿って延在している。使用する際、長手方向軸線Ａは好ましくは垂直である。
【００２７】
本体２は、支持面上に載るように配置された第１の端部５と、第１の端部５の反対側の第２の端部６とを備え、ヘッド３はこれに対して連結される。
【００２８】
ここで図示される非制限的な場合において、第１の端部５には、本体２と同じ側に沿って整列され配置された複数の脚７ａと、少なくとも２つの車輪７ｂとが設けられている（図１に示される）。
【００２９】
ここに記載され図示される非制限的な実施形態において、本体２には、また、載置バー８ａ及びハンドル８ｂが設けられている（図２）。図２を参照すると、載置バー８ａは、車輪７ｂが配置されるのと同じ側に沿って実質的に車輪７ｂに近接して本体２から延伸している。ハンドル８ｂは、本体２から延伸しており、載置バー８ａより上に、実質的には操作者が手でハンドル８ｂを掴むことのできる適切な高さに配置される。舞台照明固定具１を移動させるために、操作者は、少なくとも片方の脚を載置バー８ａの上に置き、ハンドル８ｂを掴み、ハンドル８ｂを自分の方に向けて引っ張ることで舞台照明固定具１を傾け、車輪７ｂのみに舞台照明固定具１の重量をかける。
【００３０】
変形形態（図示せず）は、舞台照明固定具の位置決めを安定させることが必要とされる際に取り出すことができる補助脚が設けられた本体２を備えている。
【００３１】
本体２は略中空であり、好ましくは、円筒形の長尺部９と、ベース１０とを備え、これは長尺部９に対して側方に延在している。
【００３２】
長尺部９及びベース１０は、互いに連通する各々の内部領域を画定する。
【００３３】
本体２は、光源１１と、光源１１に対応付けられた反射板１２と、耐熱性の組立体１３と、供給ユニット１４と、制御ユニット１５と、ビーム偏向装置１７と、シャッター１６と、第１の光学組立体１８と、絞り１９と、照明ビーム処理組立体２１と、ズーム組立体２２とを内部に収容している。
【００３４】
光源１１、反射板１２、耐熱性の組立体１３、供給ユニット１４、制御ユニット１５およびビーム偏向装置１７は、好ましくは、ベース１０内に収容され、残りの構成要素は、本体２の長尺部９の中に収容される。
【００３５】
具体的には、供給ユニット１４及び制御ユニット１５は、ベース１０の第１の側部２４内に配置され、光源１１及び反射板１２は、第１の側部２４とは反対側のベース１０の第２の側部２５内に配置される。
【００３６】
ビーム偏向装置１７は、実質的にベース１０の中央部分２６に配置される。
【００３７】
第１の側部２４において、ベース１０には、好ましくは、供給ユニット１４を冷却する少なくとも１つの吸気口２８が設けられ、第２の側部２５において、ベース１０には、光源１１を冷却する少なくとも１つの吸気口及びファン（添付の図面には不図示）を備える少なくとも１つの冷却装置２９が設けられている。
【００３８】
ベース９には、好ましくは、場合により簡素で迅速な方法で光源１１に介入するために側部２５にアクセスするためのドア（図示せず）が設けられている。
【００３９】
光源１１は、実質的に光学軸線Ｂに沿って照明ビームを放射する。
【００４０】
ここに記載され示される非制限的な実施形態において、光源１１は、電球３０を備える放電ランプであり、一般にはガラスまたは水晶でできており、ハロゲン化合物を含む。
【００４１】
ここに記載され図示される非制限的な実施形態において、反射板１２は、好ましくは、略半楕円形状である。
【００４２】
反射板１２に対する光源１１の位置は、好ましくは、例えば手動で調節することができる。
【００４３】
耐熱性の組立体１３は、実質的に、光源１１が収容される区域と耐熱性の組立体１３の下流の区域との間に断熱層を形成するように構成される。
【００４４】
ビーム偏向装置１７は、好ましくはミラー３２であり、光源１１によって生成される照明ビームを遮断し、本体２の長尺部９において第２の光学軸線Ｃに沿ってそれを誘導するように配向されている。
【００４５】
ここに記載され図示される非制限的な実施形態において、ミラー３２は光学軸線Ｂに対して４５°で配置され、その結果、照明ビームの９０°の偏向を実質的に決定する。ミラー３２の下流の照明ビームは当然のことながら、第２の光学軸線Ｃに沿って、好ましくは光学軸線Ｂに直交して延伸する。
【００４６】
ここに記載され図示される非制限的な実施形態において、光学軸線Ｃは、本体２の長手方向軸線Ａと一致する。
【００４７】
好ましくは、ミラー３２は可視光を反射し、赤外線に対して透過性のあるコールドミラーであり、本体２の壁に固定された支持フレーム３３によって支持されている。
【００４８】
支持フレーム３３の傾斜は、光源１１によって軸線Ｂに沿って生成される照明ビームが第２の光学軸線Ｃと整列されるようにミラー３２によって確実に偏向されるように調節することができる。
【００４９】
制御ユニット１５は、好ましくは、ＤＭＸプロトコルによって好適には伝送される制御信号によって、遠隔の制御ユニット（添付の図面には不図示）と通信している。
【００５０】
長尺部９には、支持構造体３５が設けられており、これは、シャッター１６、第１の光学組立体１８、絞り１９、照明ビーム処理組立体２１およびズーム組立体２２をこの順番で支持している。
【００５１】
シャッター１６は、可動要素によって画定され、これは照明ビームを選択的に遮断することで、照明ビームが通過するのを阻止し、照明ビームの一時的な停止を決定する。
【００５２】
第１の光学組立体１８は、それが絞り１９に影響を与える前に照明ビームを処理するように構成されている。具体的には、第１の光学組立体１８は、シーンの要求に応じて絞り１９の孔を横切る照明ビームの特性を変更するために、それが絞り１９に影響を与える前に照明ビームのサイズを選択的に変えるように構成されている。具体的には、第１の光学組立体１８は、照明ビームの集中の均一性を変えることが可能である。
【００５３】
第１の光学組立体１８による照明ビームの寸法の変更度合いは、制御装置（添付の図面には不図示）によって調節され、これは、シーンの要求に基づいて操作者によって手動で制御されてもよく、あるいは制御ユニット１５によって自動的に制御されてもよい。例えば、第１の光学組立体１８は、舞台照明固定具１と照明される対象物との間の距離に基づいて照明ビームの寸法を変えるように調節されてもよい。
【００５４】
ここに記載され図示される非制限的な実施形態において、第１の光学組立体１８は、ミラー３２に近接して配置された第１のレンズ３８と、第１のレンズ３８と絞り１９の間に配置された第２のレンズ３９とを備えている。
【００５５】
第１のレンズ３８は、支持構造体３５に固定されたプレート４０によって固定され好ましくは支持されており、その一方で第２のレンズ３９は好ましくは光学軸線Ｃに沿って移動可能である。
【００５６】
具体的には、第２のレンズ３９は往復台４１に連結され、これは光学軸線Ｃに沿って移動可能である。
【００５７】
ここに図示される非制限的な場合において、往復台４１は、ベルト伝導装置を備えた２つの電気モータ４２によって移動され、支持構造体３５によって支持されている。
【００５８】
本発明の変形形態（図示せず）は、往復台４１によって支持されるウォームスクリューを使用して１つまたは複数の電気モータによって移動される往復台４１を備える。
【００５９】
ここに図示される非制限的な場合において、第１のレンズ３８および第２のレンズ３９は両凸面レンズである。
【００６０】
絞り１９は、好ましくはアイリス絞りであり、使用中照明ビームが横切る孔（添付の図面にははっきりと示されていない）を画定する。この孔の寸法は可変であり、いわゆる「絞りの口径」を画定する。絞り１９は、支持プレート４４によって支持され、絞り１９の口径を調節するように構成された調節手段４５を備える。換言すると調節手段４５は、絞り１９の孔の直径を調節する。
【００６１】
照明ビーム処理組立体２１は、舞台照明固定具１によって投影される照明ビームの形状および／または色を変えるように構成される。
【００６２】
ここに記載される実施形態において、照明ビーム処理組立体２１は、連続する複数の要素（簡素化するために不図示）、例えば照明ビームを集束するための光学組立体と、少なくとも１つの遮光板組立体と、投影される照明ビームの色を変えるように構成された少なくとも１つのカラー組立体と、少なくとも１つの照明ビームのシェーパと、進入する照明ビームを拡散させるように構成された１つのフロスト組立体と、を備える。
【００６３】
ズーム組立体２２は、それを横切る照明ビームを選択的に拡大するように構成される。
【００６４】
ここに記載される非制限的な実施形態において、ズーム組立体２２は、本出願と同一の出願人によって出願された出願ＭＩ２００９Ａ０００９１４に記載されたタイプのズーム組立体であってもよい。ズーム組立体２２は、入射する照明ビームを選択的に拡大することが可能ないずれのズーム組立体でもよいことを理解されたい。
【００６５】
ヘッド３は、略中空であり、本体２に連結されることで、ヘッド３の内部の領域は、本体２の長尺部９の内側の領域と連通する。これにより本体２から出射する照明ビームは、ヘッド３の内側の領域に進入する。
【００６６】
ヘッド３は、光学軸線Ｄ及びビーム偏向装置５１が設けられた対物レンズ５０を備え、ビーム偏向装置５１は本体２から出射する照明ビームを偏向し、それを対物レンズ５０の光学軸線Ｄに整列するように構成されている。
【００６７】
ここに記載され図示される非制限的な実施形態において、ビーム偏向装置５１は、好ましくは本体２から出射する照明ビームを遮断するように配向されたミラー５２である。ミラー５２は、好ましくは支持フレーム５３によって支持されている。
【００６８】
ミラー５２は、好ましくは、ヘッド３の動きを補正し、ヘッド３から出射するビームの変形を避けるためにミラー５２を動かすように構成された機構５４に連結される。具体的に、機構５４は、ヘッド３の動く方向と反対方向にミラー５２の動きを決定する。ここに記載され図示される非制限的な実施形態において、ヘッド３の各々の動きは、好ましくは２：１の伝達比で反対方向のミラーの動きと対応している。
【００６９】
既に上記に述べたように、ヘッド３は、本体２に対して関節接合されている。
【００７０】
特にヘッド３は、第１の軸線Ｘと、第２の軸線Ｙを中心として回転することができ、これらの軸は互いに直交しており、それぞれＰＡＮおよびＴＩＬＴと呼ばれる。
【００７１】
ここに記載され図示される非制限的な実施形態において、軸線Ｘ（ＰＡＮの）は、本体２の長手方向軸線Ａと一致する。
【００７２】
図２を参照すると、ヘッド３はフォーク５８によって横から支持されており、これは１つのプレート５９と、プレート５９に一体式に連結された２つのアーム６０とを備える。
【００７３】
ヘッド３は、各々のアーム６０に回転可能に連結される。具体的には、ヘッド３は、２つの回転ピン６３を備えており、これらはヘッド３の対向する側から突出し軸Ｙに沿って延在する。ピン６３は、使用中、アーム６０内に収容される各々の作動装置（添付の図面には不図示）と協働することでヘッド３を軸線Ｙを中心として回転させる。ここに記載される非制限的な実施形態において、作動装置は、制御ユニット１５によって制御することができる電動式のベルト伝動装置（添付の図面には不図示）を備える。
【００７４】
作動装置には、特に手動動作の際、軸Ｙを中心としたヘッド３の動きをより正確に制御するために、好ましくは、クラッチシステムが設けられている。
【００７５】
プレート５９は、本体２の端部６に回転可能に連結され、孔６５を備えることで、本体２から来る照明ビームが通過することを可能にする。
【００７６】
プレート５９は、制御ユニット１５によって制御することができる電動式の連結システム６６により軸線Ｘを中心として回転することができる。プレート５９の軸線Ｘを中心とした回転は、アーム６０の回転、およびそれに続く軸線Ｘを中心としたヘッド３の回転を決定する。
【００７７】
変形形態（図示せず）は、連結システム６６が電動式ではなく、手動のみで作動され得ることを提供している。
【００７８】
ヘッド３は好ましくは駆動用のハンドルバー７０（図１にのみ示される）を備え、これは操作者によって駆動用ハンドルバー７０に付与される動きに基づいてヘッド３を動かすように構成されている。
【００７９】
駆動用ハンドルバー７０は、ヘッド３から逸れる方向に突出する２つの把持用のバー
７１を備える。
【００８０】
使用中、ヘッド３は、駆動用ハンドルバー７０を利用して操作者の直接的な制御の下で、あるいは制御ユニット１５または遠隔式の制御装置による制御の下で自動的に軸ＸおよびＹを中心として動かされる。
【００８１】
本発明の変形形態（図示せず）は、照明ビームによって照明されるシーンを撮影するための、好ましくは赤外線ビデオカメラであるビデオカメラと、ビデオカメラによって取得した画像を表示するためのスクリーンとを備えたヘッド３を備える。制御ユニット１５は、ビデオカメラおよびスクリーンと通信しており、ビデオカメラによって撮影されたシーンに関して照明ビームの投影の位置を決定し、スクリーン上にこのような位置に対応するインジケータを表示するように構成されている。これにより、操作者は、暗闇であっても照明すべき対象物（一般にはあるシーンでの役者）に照準を当てることができる。
【００８２】
最後に、添付の特許請求の範囲の範囲から逸脱することなく、本明細書に記載される舞台照明固定具に修正および変形を行うことができることは明らかである。
【図１】
2015525456.tif 000003
【図２】
2015525456.tif 000004
【国際調査報告】
2015525456.tif 000005
2015525456.tif 000006
2015525456.tif 000007